(57)【特許請求の範囲】
【請求項１】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、
前記ガス圧調整手段が、前記薄板と前記低圧側側板との間の隙間を、前記薄板と前記高圧側側板との間の隙間よりも大きくする隙間寸法調節であることを特徴とする軸シール機構。
【請求項２】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、
前記ガス圧調整手段が、前記薄板と前記低圧側側板との間の隙間を、前記薄板と前記高圧側側板との間の隙間よりも大きくする隙間寸法調節であることを特徴とする軸シール機構。
【請求項３】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、
前記ガス圧調整手段が、前記低圧側側板の前記回転軸半径方向の長さ寸法を前記高圧側側板の前記回転軸半径方向の長さ寸法よりも短くする側板寸法調節であることを特徴とする軸シール機構。
【請求項４】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、
前記ガス圧調整手段が、前記低圧側側板の前記回転軸半径方向の長さ寸法を前記高圧側側板の前記回転軸半径方向の長さ寸法よりも短くする側板寸法調節であることを特徴とする軸シール機構。
【請求項５】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、
前記ガス圧調整手段が、前記薄板の高圧側に配されてかつ前記回転軸方向に可撓性を有する可撓板であることを特徴とする軸シール機構。
【請求項６】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、
前記ガス圧調整手段が、前記薄板の高圧側に配されてかつ前記回転軸方向に可撓性を有する可撓板であることを特徴とする軸シール機構。
【請求項７】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、
前記ガス圧調整手段が、前記薄板の高圧側に配されて前記回転軸方向に可撓性を有し、かつその全周で２ヶ所以上のスリットが形成されているスリット付き可撓板であることを特徴とする軸シール機構。
【請求項８】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、
前記ガス圧調整手段が、前記薄板の高圧側に配されて前記回転軸方向に可撓性を有し、かつその全周で２ヶ所以上のスリットが形成されているスリット付き可撓板であることを特徴とする軸シール機構。
【請求項９】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、
前記ガス圧調整手段が、前記回転軸の軸線方向に前記低圧側側板を貫く複数の通風孔であることを特徴とする軸シール機構。
【請求項１０】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、
前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、
前記ガス圧調整手段が、前記回転軸の軸線方向に前記低圧側側板を貫く複数の通風孔であることを特徴とする軸シール機構。
【請求項１１】
回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなす軸シール機構であり、
前記薄板と、前記低圧側側板との間に、高圧側から低圧側に向かうガスの通過を許可するガス通過空間が形成されていることを特徴とする軸シール機構。
【請求項１２】
請求項１，２，５〜８のいずれか１項に記載の軸シール機構において、
前記低圧側側板と前記薄板との間には、該低圧側側板に向かって前記薄板が接近しようとした場合に、該薄板を支持して、これら低圧側側板及び薄板間の隙間寸法を維持する隙間寸法調整手段が設けられていることを特徴とする軸シール機構。
【請求項１３】
請求項１２記載の軸シール機構において、
前記隙間寸法調整手段は、前記薄板側に向かって突出するように前記低圧側側板の側に設けられた第１の段形状部であり、
該第１の段形状部は、前記低圧側側板に沿って前記回転軸周りの環状をなしていることを特徴とする軸シール機構。
【請求項１４】
請求項１３記載の軸シール機構において、
前記第１の段形状部には、前記環状の内周側及び外周側の空間を連通させる通気孔が形成されていることを特徴とする軸シール機構。
【請求項１５】
請求項１２記載の軸シール機構において、
前記隙間寸法調整手段は、前記薄板側に向かって突出するように前記低圧側側板の側に設けられた第２の段形状部であり、
該第２の段形状部は、互いに間隔を置いた状態で、前記低圧側側板に沿って前記回転軸周りの環状をなすように間欠配置された複数枚の環状分割板からなることを特徴とする軸シール機構。
【請求項１６】
請求項１３〜１５のいずれか１項に記載の軸シール機構において、
前記第１または第２の段形状部は、前記回転軸を軸心とする同心円状に複数段が設けられていることを特徴とする軸シール機構。
【請求項１７】
請求項１２記載の軸シール機構において、
前記隙間寸法調整手段は、前記薄板側に向かって突出するように前記低圧側側板の側に設けられた第３の段形状部であり、
該第３の段形状部は、前記薄板側から前記低圧側側板を見た場合に、該低圧側側板の内周側から外周側に向かってスパイラル状に配置された複数枚のスパイラル板からなり、これらスパイラル板間には、互いに間隔が設けられていることを特徴とする軸シール機構。
【請求項１８】
請求項１３記載の軸シール機構において、
前記第１の段形状部は、前記低圧側側板の半径方向に沿って前記ケーシングの位置まで形成されていることを特徴とする軸シール機構。
【請求項１９】
請求項１８記載の軸シール機構において、
前記高圧側側板には、該高圧側側板を前記回転軸の軸線方向に貫く導圧孔が形成されていることを特徴とする軸シール機構。
【請求項２０】
請求項１２記載の軸シール機構において、
前記隙間寸法調整手段は、前記低圧側側板に向かって突出するように前記薄板の側に設けられた第４の段形状部であることを特徴とする軸シール機構。
【請求項２１】
高温高圧のガスをケーシングに導き、該ケーシングの内部に回転可能に支持された回転軸の動翼に吹き付けることで前記ガスの熱エネルギーを機械的な回転エネルギーに変換して動力を発生するガスタービンにおいて、
請求項１〜２０のいずれかに記載の軸シール機構を備えたことを特徴とするガスタービン。
【発明の詳細な説明】
【０００１】
【発明の属する技術分野】
本発明は、ガスタービン、蒸気タービン、圧縮機、水車、冷凍機、ポンプなどの大型流体機械の回転軸等に用いて好適な軸シール機構に関する。
本発明はまた、高温高圧のガスをタービンに導いて膨張させ、ガスの熱エネルギーを機械的な回転エネルギーに変換して動力を発生させるガスタービンに関し、特にその回転軸に適用される軸シール機構に関する。
【０００２】
【従来の技術】
ガスタービンにおいて、静翼と回転軸との間には、高圧側から低圧側に漏れる燃焼ガスの漏れ量を低減するための軸シール機構が設けられている。この軸シール機構としては、非接触型のラビリンスシールが従来から幅広く使用されている。ところで、このラビリンスシールは、回転過渡期の軸振動、或いは過渡的な熱変形時にもフィン先端の隙間が接触しないようにフィン先端の隙間をある程度大きくしなければならないため、ガスの漏れ量が大きい。このようなラビリンスシールに代え、漏れ量の低減を狙って開発されたシール材としてブラシシールがある。
【０００３】
図１６（ａ），（ｂ）はこの種のブラシシールの概略構成図である。同図において、符号１は回転軸、符号２はケーシング、符号３は低圧側側板、符号４は高圧側側板、符号５はろう付け部、符号６はワイヤである。ワイヤ６は、回転軸１の振動、或いは熱変形による偏心などを吸収できるように適度の剛性を有する線径５０〜１００μｍのフィラメントで構成され、ワイヤ６間は隙間がないように幅３〜５ｍｍの密集した束となっている。また、ワイヤ６は回転軸１の外周と鋭角をなすように回転方向に対して傾斜して取付けられている。ワイヤ６の先端は回転軸１の外周に対して所定の予圧をもって接触しており、この接触によって軸方向の漏れ量を低減する構造となっている。
【０００４】
ワイヤ６は、回転軸１に対して接触摺動し、雰囲気条件或いは周速によって発熱して赤熱状態になるため、使用条件に応じてインコネル、ハステロイなどの耐高熱材が用いられている。また、ワイヤ６とともに回転軸１外周の摺動面も摩耗するため、回転軸１の摺動面には耐摩耗材がコーティングされている。さらに、ワイヤ６は回転軸１の軸方向の剛性が小さいので、低圧側側板３の内径を回転軸１の外周とほぼ等しくすることでワイヤ６の破損が防止されている。
【０００５】
また、この他にも、例えば図１７に示すようなリーフシール１０が開発されてきている。このリーフシール１０は、同図に示すように、回転軸１１の軸方向に所定の幅寸法を有する平板状の薄板１８を回転軸１１の周方向に多層に配置した構造となっている。
これら薄板１８は、その外周側基端のみがケーシング１２内にろう付け（ろう付け部１５）されており、回転軸１１の外周をシールすることによって回転軸１１の周囲空間を高圧側領域と低圧側領域とに分けている。また、薄板１８の両側において、高圧側領域には高圧側側板１４、低圧側領域には低圧側側板１３がそれぞれ圧力作用方向のガイド板として装着されている。
【０００６】
薄板１８は、板厚で決まる所定の剛性を回転軸１１の軸方向に持つように設計されている。また、薄板１８は回転軸１１の回転方向に対して回転軸１１の周面となす角が鋭角となるようにケーシング１２に取付けられており、回転軸１１の停止時には薄板１８の先端が所定の予圧で回転軸１１に接触しているが、回転軸１１の回転時には回転軸１１が回転することで生じる動圧効果によって薄板１８の先端が浮上するため、薄板１８と回転軸１１とが非接触状態となる。
多層に配置した平板状の各薄板１８どうしの間には、僅かに隙間１９が設けられている。この隙間１９は、シール径が十分に大きいため、換言すれば回転軸１１の径が十分に大きいために、外周側基端から内周側先端まで実質的にほぼ一定とみなすことができる。
【０００７】
上記のように構成された軸シール機構においては、回転軸１１の軸方向に幅を有する薄板１８が、回転軸１１の周方向に多層に配置されており、これら薄板１８が回転軸１１の周方向に柔らかい可撓性を有し、軸方向には剛性の高いシール機構を構成している。
このシール機構によれば、シール部材である各薄板１８が回転軸１１の軸方向に平行配置されることにより、ケーシング１２に固定される外周側のろう付けは、回転軸１１の軸方向に強固なものとなる。これにより、従来のブラシシールに見られるケーシングからのワイヤ脱落のように、薄板１８がケーシング１２から脱落するのを防止できるようになっている。
【０００８】
【発明が解決しようとする課題】
しかしながら、上記説明のブラシシールでは、次のような問題点がある。
すなわち、このブラシシールにおいては、ワイヤ６間からの漏れと、ワイヤ６先端が回転軸１外周と接触する摺動面からの漏れとが問題となるが、シール差圧がワイヤ６の線径、低圧側側板３の配置等から決まる許容値を越えると、ワイヤ６全体が低圧側に変形を生じて倒れ、ワイヤ６と回転軸１との間が吹き抜け状態となってシール機能を失ってしまう恐れがあるという問題である。
【０００９】
ブラシシールを構成するワイヤ６の剛性は回転軸１の軸振れに対する追随性および回転軸１との適正な予圧などで決められているが、ワイヤ６の線径を太くするなどして剛性を上げるにも限界がある。したがって、ワイヤ６の剛性に支配される回転軸１軸方向のシール差圧は０．５ＭＰａ程度が限界で、大きな差圧をシールすることができない。また、ワイヤ６の線径は通常約５０〜１００μｍと非常に細く、回転軸１の周面と接触して摺動することによりワイヤ６が破断して脱落する危険性があり、ガスタービンを長時間にわたって使用するには問題があった。
【００１０】
また、ワイヤ６先端からのガス漏れ量は、ワイヤ６が回転軸１の周面に接触して摺動するため、ラビリンスシールなどと比べて飛躍的に小さいが、ワイヤ６先端間からの漏れ量を安定して小さく保持することが難しいという問題もある。
また、ワイヤ６と回転軸１の周面とが接触して摺動するので、回転軸１の表面には耐摩耗材のコーティングが必要である。しかしながら、大径の回転軸１の周面に対して長時間の使用に耐える耐摩耗材のコーティングを形成する技術が確立されておらず、ワイヤ６および回転軸１の摩耗が大きいため、ブラシシールの寿命が短く交換頻度が高い。
【００１１】
また、上記説明のリーフシール１０においても、次のような問題点がある。
このリーフシール１０は、回転軸１１の回転によって生じる動圧効果によって薄板１８の先端が回転軸１１の表面から浮上して回転軸１１との接触を回避し、過大な発熱及び摩耗を防止できる構造となっている。しかし、低圧側側板１３及び薄板１８間の隙間と、高圧側側板１４及び薄板１８間の隙間とが等しくなるように低圧側側板１３ならびに高圧側側板１４を設けた場合、高圧側から加圧された際に、薄板１８に対してこれを回転軸１１の半径方向中心に向かって変形させるような圧力荷重が加わることが確認されており、動圧効果の小さい起動時等には非接触状態をつくることが困難となっていた。
【００１２】
したがって、以上説明のブラシシール及びリーフシールのいずれにおいても、ガス漏れ量低減と耐摩耗性向上との両方を達成するには更なる改良を必要としていた。
【００１３】
本発明は、上記事情に鑑みてなされたものであり、高圧側から低圧側へのガスの漏れ量を低減するとともに耐摩耗性に優れた軸シール機構及び、これを備えたガスタービンの提供を目的としている。
【００１４】
【課題を解決するための手段】
本発明は、上記課題を解決するために以下の手段を採用した。
すなわち、本発明の請求項１記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、前記ガス圧調整手段が、前記薄板と前記低圧側側板との間の隙間を、前記薄板と前記高圧側側板との間の隙間よりも大きくする隙間寸法調節であることを特徴とする。
【００１５】
請求項２記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、前記ガス圧調整手段が、前記薄板と前記低圧側側板との間の隙間を、前記薄板と前記高圧側側板との間の隙間よりも大きくする隙間寸法調節であることを特徴とする。
【００１６】
上記請求項１または２記載の軸シール機構によれば、ガス圧調整手段を設けたことで、薄板をその幅方向に垂直な仮想平面で断面視し、該薄板の回転軸に面した面を下面、その裏側を上面とし、該薄板に対して高圧側側板から低圧側側板に向かうガス圧が加わった場合に、該薄板の前記断面に沿った任意位置における前記上面に加わるガス圧よりも前記下面に加わるガス圧の方が高くなるので、薄板先端が浮上して回転軸と非接触状態となる。
【００１７】
これについて詳しく説明すると、高圧側から低圧側に向かって流れるガスは、回転軸周面と薄板先端との間，ならびに各薄板の上下面に沿って流れる。このとき、各薄板の上下面に沿って流れるガスは、高圧側側板と回転軸周面との間から流入し，対角に向かって広がりをもって流れ、同時に該薄板の上下面に垂直に加わるガス圧は、前記先端部分に近いほど大きく、かつ外周側基端に向かうほど小さくなる三角分布形状となる。この上下面それぞれの圧力分布形状は互いに略同じものとなるが、各薄板が回転軸の周面に対して鋭角をなすように斜めに配置されているので、これら上下面における各圧力分布の相対位置がずれており、薄板の外周基端側から先端側に向かう任意点における上下面のガス圧を比較した場合、両者で差が生じることとなる。
【００１８】
つまり、下面に加わるガス圧（これをＦｂとする）の方が上面に加わるガス圧（これをＦａとする）よりも高くなるので、薄板を回転軸より浮かせるように変形させる方向に作用する。このとき、薄板の先端近傍部分では逆となり、上面にのみガス圧が加わる（薄板の最先端部分を、回転軸周面に対して面接触するように斜めに切り取った場合、下面に相当する部分がなくなるので。）が、この力は、回転軸周面と薄板先端との間を流れるガスのガス圧が、薄板先端を回転軸周面から浮かせる方向に作用（これをＦｃとする）して打ち消すので、薄板先端を回転軸に押さえ込もうとする力を生じさせない。したがって、薄板に加わるガス圧による圧力荷重は、（Ｆｂ＋Ｆｃ）＞Ｆａとなるので、薄板が回転軸周面より浮くようにこれを変形させることが可能となる。
【００１９】
この他、従来のブラシシールのワイヤと比較した場合、ケーシングに対する固定部の大きさが比較的大きく取れるので、薄板をケーシングに対して強固に固定することもできるようになる。
また、薄板の先端は、回転軸の軸方向では剛性が高くてかつ回転軸の周方向では柔らかくなっているので、差圧方向（軸方向）への変形を起こし難くなってシール差圧の許容値が引き上げられることに加えて、回転軸の振動に際して薄板と回転軸との接触が緩和されるようになっている。
【００２１】
さらに、上記請求項１又は２に記載の軸シール機構によれば、高圧側から加圧された際に、薄板を通過してガスが高圧側から低圧側へ流れようとするが、このとき、薄板と低圧側側板との間の隙間を、薄板と高圧側側板との間の隙間よりも大きくして広く空間を空けておくことで、高圧側側板と回転軸周面との間から流入したガスは薄板の上下面に沿って対角に向かい広く流れると同時に，外周側基端には低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００２２】
請求項３記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、前記ガス圧調整手段が、前記低圧側側板の前記回転軸半径方向の長さ寸法を前記高圧側側板の前記回転軸半径方向の長さ寸法よりも短くする側板寸法調節であることを特徴とする。
請求項４記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、前記ガス圧調整手段が、前記低圧側側板の前記回転軸半径方向の長さ寸法を前記高圧側側板の前記回転軸半径方向の長さ寸法よりも短くする側板寸法調節であることを特徴とする。
【００２３】
上記請求項３又は４に記載の軸シール機構によれば、高圧側から加圧された際に，薄板を通過してガスが高圧側から低圧側へ流れようとするが、このとき、低圧側側板の回転軸半径方向の長さ寸法を高圧側側板の回転軸半径方向の長さ寸法よりも短くして低圧側に広い空間を空けておくことで、高圧側側板と回転軸周面との間から流入したガスは，薄板の上下面に沿って対角に向かって広く流れると同時に，外周側基端に低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００２４】
請求項５記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、前記ガス圧調整手段が、前記薄板の高圧側に配されてかつ前記回転軸方向に可撓性を有する可撓板であることを特徴とする。
請求項６記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、前記ガス圧調整手段が、前記薄板の高圧側に配されてかつ前記回転軸方向に可撓性を有する可撓板であることを特徴とする。
【００２５】
上記請求項５又は６に記載の軸シール機構によれば、高圧側から加圧された際に，薄板を通過してガスが高圧側から低圧側へ流れようとするが、このとき、回転軸方向に可撓性を有する可撓板を薄板の高圧側に設ける（例えば、高圧側側板を回転軸方向に可撓性を有する薄肉板状としたり、もしくは、高圧側側板と薄板との間の隙間に回転軸軸方向に可撓性を有する薄肉板を設けるなど。）と、高圧側のガス圧による可撓板の撓みによって，薄板と高圧側側板との間の隙間が狭まり，薄板と低圧側側板との間の隙間より小さくなる。したがって，高圧側側板と回転軸周面との間から流入したガスは，薄板の上下面に沿って対角に向かって広く流れると同時に，外周側基端に低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００２６】
請求項７記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、前記ガス圧調整手段が、前記薄板の高圧側に配されて前記回転軸方向に可撓性を有し、かつその全周で２ヶ所以上のスリットが形成されているスリット付き可撓板であることを特徴とする。
請求項８記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、前記ガス圧調整手段が、前記薄板の高圧側に配されて前記回転軸方向に可撓性を有し、かつその全周で２ヶ所以上のスリットが形成されているスリット付き可撓板であることを特徴とする。
【００２７】
上記請求項７又は８に記載の軸シール機構によれば、高圧側から加圧された際に，薄板を通過してガスが高圧側から低圧側へ流れようとするが、このとき、回転軸方向に可撓性を有し、かつその全周で２ヶ所以上のスリットが形成されているスリット付き可撓板を薄板の高圧側に設ける（例えば、高圧側側板を、全周で２ヶ所以上のスリット形状が形成されてかつ回転軸方向に可撓性を有する薄板としたり、もしくは、高圧側側板と薄板との間に回転軸方向に可撓性を有してかつ全周で２ヶ所以上のスリットが形成された薄肉板を配置すなど。）と、高圧側のガス圧による可撓板の撓みによって，薄板と高圧側側板との間の隙間が狭まり，薄板と低圧側側板との間の隙間より小さくなる。したがって，高圧側側板と回転軸周面との間から流入したガスは，薄板の上下面に沿って対角に向かって広く流れると同時に，外周側基端に低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００２８】
請求項９記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記薄板をその幅方向に垂直な仮想平面で断面視し、該薄板の前記回転軸に面した面を下面、その裏側を上面とし、該薄板に対して前記高圧側側板から前記低圧側側板に向かうガス圧が加わった場合に、該薄板の前記断面に沿った任意位置における前記上面に加わるガス圧よりも前記下面に加わるガス圧の方を高くするガス圧調整手段が設けられ、前記ガス圧調整手段が、前記回転軸の軸線方向に前記低圧側側板を貫く複数の通風孔であることを特徴とする。
請求項１０記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなし、前記薄板の前記回転軸方向両側にそれぞれ低圧側側板及び高圧側側板が設けられた軸シール機構であり、前記高圧側側板から前記低圧側側板に向かうガス圧が前記薄板に加わった場合に、該薄板の上下面に対して、前記先端側でかつ前記高圧側側板の側に位置する角部で最もガス圧が高く、かつ対角に向かって徐々にガス圧が弱まるガス圧分布を形成するガス圧調整手段が設けられ、前記ガス圧調整手段が、前記回転軸の軸線方向に前記低圧側側板を貫く複数の通風孔であることを特徴とする。
【００２９】
上記請求項９又は１０に記載の軸シール機構によれば、高圧側から加圧された際に、薄板を通過してガスが高圧側から低圧側へ流れようとするが、このとき、回転軸の軸線方向に低圧側側板を貫く複数の通風孔を該低圧側側板に設けておく（例えば、低圧側側板に対して回転軸軸方向に向かって形成された複数の導圧孔を設けたり、もしくは、低圧側側板の材質として多孔質材を採用するなど。）ことで、高圧側側板と回転軸周面との間から流入したガスは，薄板の上下面に沿って対角に向かって広く流れると同時に，外周側基端に低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００３０】
請求項１１記載の軸シール機構は、回転軸の軸方向に幅を有して先端が前記回転軸の周面に摺動し、互いに隙間を空けて外周側基端がケーシング側に固定された複数の可撓性を有する薄板を、前記回転軸の周方向に該回転軸の外周をシール可能に多重に備え、前記薄板と前記回転軸の周面とが鋭角をなす軸シール機構であり、前記薄板と、前記低圧側側板との間に、高圧側から低圧側に向かうガスの通過を許可するガス通過空間が形成されていることを特徴とする。
【００３１】
上記請求項１１記載の軸シール機構によれば、高圧側から加圧された際に、薄板を通過してガスが高圧側から低圧側へ流れようとするが、このとき、薄板の軸方向の低圧側に、高圧側から低圧側に向かうガスの通過を許可するガス通過空間が形成されていることで、高圧側側板と回転軸周面との間から流入したガスは，薄板の上下面に沿って対角に向かって広く流れると同時に，外周側基端に低圧の領域が広がる。これにより、薄板の幅方向に垂直な断面に沿った任意位置で、該薄板の上下面に加わるガス圧分布を、薄板先端側から外周側基端に向かって徐々に小さくなる三角形状とすることができる。したがって、前述の理由により、薄板の上下面における圧力差を生じせしめて、該薄板を回転軸周面より浮くように変形させて非接触状態を形成することができる。
【００３２】
請求項１２記載の軸シール機構は、請求項１，２，５〜８のいずれか１項に記載の軸シール機構において、前記低圧側側板と前記薄板との間には、該低圧側側板に向かって前記薄板が接近しようとした場合に、該薄板を支持して、これら低圧側側板及び薄板間の隙間寸法を維持する隙間寸法調整手段が設けられていることを特徴とする。
【００３３】
請求項１３記載の軸シール機構は、請求項１２記載の軸シール機構において、前記隙間寸法調整手段が、前記薄板側に向かって突出するように前記低圧側側板の側に設けられた第１の段形状部であり、該第１の段形状部が、前記低圧側側板に沿って前記回転軸周りの環状をなしていることを特徴とする。
【００３４】
請求項１４記載の軸シール機構は、請求項１３記載の軸シール機構において、前記第１の段形状部に、前記環状の内周側及び外周側の空間を連通させる通気孔が形成されていることを特徴とする。
【００３５】
請求項１５記載の軸シール機構は、請求項１２記載の軸シール機構において、前記隙間寸法調整手段が、前記薄板側に向かって突出するように前記低圧側側板の側に設けられた第２の段形状部であり、該第２の段形状部が、互いに間隔を置いた状態で、前記低圧側側板に沿って前記回転軸周りの環状をなすように間欠配置された複数枚の環状分割板からなることを特徴とする。
【００３６】
請求項１６記載の軸シール機構は、請求項１３〜１５のいずれか１項に記載の軸シール機構において、前記第１または第２の段形状部が、前記回転軸を軸心とする同心円状に複数段が設けられていることを特徴とする。
【００３７】
請求項１７記載の軸シール機構は、請求項１２記載の軸シール機構において、前記隙間寸法調整手段が、前記薄板側に向かって突出するように前記低圧側側板の側に設けられた第３の段形状部であり、該第３の段形状部が、前記薄板側から前記低圧側側板を見た場合に、該低圧側側板の内周側から外周側に向かってスパイラル状に配置された複数枚のスパイラル板からなり、これらスパイラル板間には、互いに間隔が設けられていることを特徴とする。
【００３８】
請求項１８記載の軸シール機構は、請求項１３記載の軸シール機構において、前記第１の段形状部が、前記低圧側側板の半径方向に沿って前記ケーシングの位置まで形成されていることを特徴とする。
【００３９】
請求項１９記載の軸シール機構は、請求項１８記載の軸シール機構において、前記高圧側側板に、該高圧側側板を前記回転軸の軸線方向に貫く導圧孔が形成されていることを特徴とする。
【００４０】
請求項２０記載の軸シール機構は、請求項１２記載の軸シール機構において、前記隙間寸法調整手段が、前記低圧側側板に向かって突出するように前記薄板の側に設けられた第４の段形状部であることを特徴とする。
【００４１】
上記請求項１２〜２０のいずれかに記載の軸シール機構によれば、隙間寸法調整手段を設けたことで、薄板の位置が低圧側側板の側に向かって接近しようとしても、この薄板が、隙間寸法調整手段によって支持されることで接近が阻止されるようになっているので、軸シール機構組立時における組立誤差や、運転時における高圧側から低圧側に向かう流体圧による薄板の変形等が発生しても、薄板と低圧側側板との間を所定の隙間寸法に維持することができる。
したがって、薄板と低圧側側板との隙間寸法を、薄板と高圧側側板との間の隙間寸法よりも確実に大きく保つことができる。これにより、請求項３，５，６のいずれかの作用を確実に得ることができるので、薄板の上下面における圧力差を生じせしめて、該薄板を回転軸周面より浮くように変形させ、起動時等の動圧効果の小さい時でも、非接触状態を確実に形成させることができる。
【００４２】
さらに、上記請求項１４記載の軸シール機構によれば、隙間寸法調整手段である第１の段形状部に通気孔を形成したことで、薄板と低圧側側板との間の隙間空間における、第１の段形状部を境とした、回転軸半径方向内周側と回転軸半径方向外周側との両空間の間でのガス流れに対する抵抗が低減されるようになる。これにより、第１の段形状部による薄板の支持を確保しながらも、あたかも第１の段形状部が存在しないかのように、前記隙間空間における回転軸半径方向の圧力分布を形成させることができる。
したがって、高圧側側板から低圧側側板に向かうガス圧が薄板に加わった場合に、該薄板の上下面に対して、回転軸に対向する先端側でかつ高圧側側板の側に位置する角部で最もガス圧が高く、かつ対角に向かって徐々にガス圧が弱まるガス圧分布の範囲をより広く形成させることができるようになるので、薄板の上下面における圧力差を確実に生じせしめて、該薄板を回転軸周面より浮かせるという薄板浮上のためのガス圧調整が的確にできるようになる。
【００４３】
また、上記請求項１５記載の軸シール機構によれば、隙間寸法調整手段である第２の段形状部を、互いに間隔を置いて環状配置された複数枚の環状分割板としたことで、薄板と低圧側側板との間の隙間空間における、第２の段形状部を境とした、回転軸半径方向内周側と回転軸半径方向外周側との両空間の間でのガス流れに対する抵抗が低減されるようになる。これにより、第２の段形状部による薄板の支持を確保しながらも、あたかも第２の段形状部が存在しないかのように、前記隙間空間における回転軸半径方向の圧力分布を形成させることができる。
したがって、高圧側側板から低圧側側板に向かうガス圧が薄板に加わった場合に、該薄板の上下面に対して、回転軸に対向する先端側でかつ高圧側側板の側に位置する角部で最もガス圧が高く、かつ対角に向かって徐々にガス圧が弱まるガス圧分布の範囲をより広く形成させることができるようになるので、薄板の上下面における圧力差を確実に生じせしめて、該薄板を回転軸周面より浮かせるという薄板浮上のためのガス圧調整が的確にできるようになる。
また、請求項１６記載の軸シール機構においても、上記請求項１５記載の軸シール機構と同様の作用を得ることができる。
【００４４】
また、上記請求項１７記載の軸シール機構によれば、隙間寸法調整手段である第３の段形状部を、互いに間隔を置いてスパイラル状に配置された複数枚のスパイラル板としたことで、薄板と低圧側側板との間の隙間空間における、回転軸半径方向内周側と回転軸半径方向外周側との両空間の間でのガス流れに対する抵抗が低減されるようになる。これにより、第３の段形状部による薄板の支持を確保しながらも、あたかも第３の段形状部が存在しないかのように、前記隙間空間における回転軸半径方向の圧力分布を形成させることができる。
したがって、高圧側側板から低圧側側板に向かうガス圧が薄板に加わった場合に、該薄板の上下面に対して、回転軸に対向する先端側でかつ高圧側側板の側に位置する角部で最もガス圧が高く、かつ対角に向かって徐々にガス圧が弱まるガス圧分布の範囲をより広く形成させることができるようになるので、薄板の上下面における圧力差を確実に生じせしめて、該薄板を回転軸周面より浮かせるという薄板浮上のためのガス圧調整が的確にできるようになる。
【００４５】
また、上記請求項２０記載の軸シール機構によれば、隙間寸法調整手段である第４の段形状部を、薄板側に設けられた突出部としたことで、薄板と低圧側側板との間の隙間空間における、第４の段形状部を境とした、回転軸半径方向内周側と回転軸半径方向外周側との両空間の間でのガス流れが、薄板間の隙間を通って流通可能となるので、このガス流れに対する抵抗が低減されるようになる。これにより、第４の段形状部による薄板の支持を確保しながらも、あたかも第４の段形状部が存在しないかのように、前記隙間空間における回転軸半径方向の圧力分布を形成させることができる。
したがって、高圧側側板から低圧側側板に向かうガス圧が薄板に加わった場合に、該薄板の上下面に対して、回転軸に対向する先端側でかつ高圧側側板の側に位置する角部で最もガス圧が高く、かつ対角に向かって徐々にガス圧が弱まるガス圧分布の範囲をより広く形成させることができるようになるので、薄板の上下面における圧力差を確実に生じせしめて、該薄板を回転軸周面より浮かせるという薄板浮上のためのガス圧調整が的確にできるようになる。
【００４６】
請求項２１記載のガスタービンは、高温高圧のガスをケーシングに導き、該ケーシングの内部に回転可能に支持された回転軸の動翼に吹き付けることで前記ガスの熱エネルギーを機械的な回転エネルギーに変換して動力を発生するガスタービンにおいて、請求項１〜１７のいずれかに記載の軸シール機構を備えたことを特徴とする。
上記請求項２１記載のガスタービンによれば、上記請求項１〜２０のいずれかに記載の軸シール機構と同様の作用を得ることができる。
【００４７】
【発明の実施の形態】
本発明に係る軸シール機構及びこれを備えたガスタービンの各実施の形態についての説明を以下に行うが、本発明がこれらのみに限定解釈されるものでないことは、勿論である。
【００４８】
まず、図１〜図３を参照しながら第１の実施の形態についての説明を行う。
図１に、ガスタービンの概略構成を示す。同図において、符号２０は圧縮機、符号２１は燃焼器、符号２２はタービンである。圧縮機２０は、多量の空気をその内部に取り入れて圧縮するものである。通常、ガスタービンでは、後述する回転軸２３で得られる動力の一部が、圧縮機の動力として利用されている。燃焼器２１は、圧縮機２０で圧縮された空気に燃料を混合して燃焼させるものである。タービン２２は、燃焼器２１で発生させた燃焼ガスをその内部に導入して膨張させ、回転軸２３に設けられた動翼２３ｅに吹き付けることで燃焼ガスの熱エネルギーを機械的な回転エネルギーに変換して動力を発生させるものである。
【００４９】
タービン２２には、回転軸２３側の複数の動翼２３ｅの他に、ケーシング２４側に複数の静翼２４ａが設けられており、これら動翼２３ｅと静翼２４ａとが回転軸２３の軸方向に交互に配列されている。動翼２３ｅは回転軸２３の軸方向に流れる燃焼ガスの圧力を受けて回転軸２３を回転させ、回転軸２３に与えられた回転エネルギーが軸端から取り出されて利用されるようになっている。静翼２４ａと回転軸２３との間には、高圧側から低圧側に漏れる燃焼ガスの漏れ量を低減するための軸シール機構として、リーフシール２５が設けられている。
【００５０】
図２はこのリーフシール２５の構成を示す斜視図である。同図に示すように、このリーフシール２５は、回転軸２３の軸方向に幅を有して先端が回転軸２３の周面２３ａに摺動し、互いに隙間３０を空けて外周側基端がケーシング２４側に固定（ろう付け部２８）された複数の可撓性を有する薄板２９を、回転軸２３の周方向に該回転軸２３の外周をシール可能に多重に備え、薄板２９と回転軸２３の周面２３ａとが鋭角をなし、各薄板２９の回転軸方向両側にそれぞれ低圧側側板２６及び高圧側側板２７が設けられた構成となっている。
【００５１】
各薄板２９は、回転軸２３の軸方向に所定の幅を有する平板形状を有しており、回転軸２３の周方向に多層に配置された構造になっている。そして、その外周側基端は、ケーシング２４内にろう付け（ろう付け部２８）されており、回転軸２３の外周をシールすることによって回転軸２３の周囲空間を高圧側領域と低圧側領域とに分けている。また、薄板２９の幅方向両側において、高圧側領域には前記高圧側側板２７が、低圧側領域には前記低圧側側板２６がそれぞれ圧力作用方向のガイド板として装着されている。
【００５２】
そして、このリーフシール２５には、図３（ａ）に示すように高圧側領域から低圧側領域に向かう（高圧側側板２７から低圧側側板２６に向かう）ガス圧が各薄板２９に加わった場合に、各薄板２９の上面２９ａ及び下面２９ｂに対して、先端側でかつ高圧側側板２７の側に位置する角部ｒ１で最もガス圧が高く、かつ対角の角部ｒ２に向かって徐々にガス圧が弱まるガス圧分布３０ａを形成するガス圧調整手段が設けられた構成となっている。
【００５３】
換言すると、このガス圧調整手段は、図３（ｂ）に示すように、各薄板２９をその幅方向に垂直な仮想平面で断面視し、これら薄板２９の回転軸２３に面した面を下面２９ｂ、その裏側を上面２９ａとし、各薄板２９に対して高圧側領域から低圧側領域に向かう（高圧側側板２７から低圧側側板２６に向かう）ガス圧が加わった場合に、各薄板２９の前記断面に沿った任意位置における上面２９ａに加わるガス圧よりも、下面２９ｂに加わるガス圧の方を高くするようにガス圧を調整することが可能となっている（このメカニズムについては、後で詳説する。）。
【００５４】
本実施の形態では、各薄板２９と低圧側側板２６との間の低圧側隙間３１を、各薄板２９と高圧側側板２７との間の高圧側隙間３２よりも大きくする隙間寸法調節を前記ガス圧調整手段としている。
このように隙間寸法調節を行って低圧側側板側に比較的広い空間を空けておくことで、高圧側から加圧された際に、各薄板２９を通過して高圧側領域から低圧側領域へ流れるガスｇは、各薄板２９の上面２９ａ及び下面２９ｂに沿って対角に向かって広く流れると同時に，外周部基端には低圧の領域が広がる。これにより、前述したように、薄板２９の幅方向に垂直な断面に沿った任意位置で、該薄板２９の上面２９ａ及び下面２９ｂのそれぞれに加わるガス圧分布を、薄板２９の先端側から外周側基端に向かって徐々に小さくなる三角形状とすることができる。
【００５５】
これについて詳しく説明すると、高圧側領域から低圧側領域に向かって流れるガスｇは、回転軸２３の周面２３ａと薄板２９の先端との間，ならびに、各薄板２９の上面２９ａ及び下面２９ｂに沿って流れる。このとき、各薄板２９の上面２９ａ及び下面２９ｂに沿って流れるガスｇは、図３（ａ）に示すように、高圧側側板２７と回転軸２３の周面２３ａとの間から流入し，ｒ１からｒ２の方向へ放射状に流れ，外周側基端には低圧の領域が広がる。これにより、各薄板２９の上面２９ａ及び下面２９ｂに垂直に加わるガス圧分布３０ｂ，３０ｃは、図３（ｂ）に示すように前記先端部分に近いほど大きく、かつ外周側基端に向かうほど小さくなる三角分布形状となる。
【００５６】
この上面２９ａ及び下面２９ｂそれぞれにおけるガス圧力分布３０ｂ，３０ｃの形状は互いに略同じものとなるが、各薄板２９が回転軸２３の周面２３ａに対して鋭角をなすように斜めに配置されているので、これら上面２９ａ及び下面２９ｂにおける各ガス圧分布３０ｂ，３０ｃの相対位置が寸法ｓ１だけずれており、薄板２９の外周基端側から先端側に向かう任意点Ｐにおける上面２９ａ及び下面２９ｂのガス圧を比較した場合、両者で差が生じることとなる。
【００５７】
つまり、前述したように、下面２９ｂに加わるガス圧（これをＦｂとする）の方が上面２９ａに加わるガス圧（これをＦａとする）よりも高くなるので、薄板２９を回転軸２３より浮かせるように変形させる方向に作用する。このとき、薄板２９の先端近傍部分では逆となり、上面２９ａにのみガス圧のみが加わる（薄板２９の最先端部分は、周面２３ａに対して面接触するように斜めに切り取られて切断面２９ｃが設けられているので、下面２９ｂに相当する部分がなくなる。）が、この力は、周面２３ａと薄板２９の先端との間を流れるガスのガス圧が、薄板２９の先端を周面２３ａから浮かせる方向に作用（これをＦｃとする）して打ち消すので、薄板２９の先端を回転軸２３に対して押さえ込もうとする力を生じさせない。したがって、各薄板２９に加わるガス圧による圧力荷重は、（Ｆｂ＋Ｆｃ）＞Ｆａとなるので、各薄板２９を周面２３ａより浮かせるように変形させることが可能となる。
したがって、各薄板２９の上面２９ａ及び下面２９ｂ間に圧力差を生じせしめて、これら薄板２９が周面２３ａより浮くように変形させて非接触状態を形成することができる。
【００５８】
以上の説明では、高圧側から加圧された際の差圧を利用して，各薄板２９を回転軸２３に対して非接触状態にするメカニズムについて説明したが、以下に説明するように、回転軸２３の回転によっても各薄板２９を回転軸２３に対して非接触状態とすることが可能となっている。
すなわち、各薄板２９は、板厚で決まる所定の剛性を回転軸２３の軸方向に持つように設計されている。また、各薄板２９は、前述したように回転軸２３の回転方向に対して回転軸２３の周面２３ａとなす角が鋭角となるようにケーシング２４に取付けられており、回転軸２３の停止時には、各薄板２９の先端が所定の予圧で回転軸２３に接触しているが、回転軸２３の回転時には回転軸２３が回転することで生じる動圧効果によって各薄板２９の先端が浮上するため、薄板２９と回転軸２３とが非接触状態となる。
【００５９】
なお、多層に配置した平板状の各薄板２９の間には僅かに隙間３０（図２参照）が設けられている。この隙間３０は、シール径が十分に大きいため、換言すれば回転軸２３の径が十分に大きいために、外周側基端から内周側先端まで実質的にほぼ一定とみなすことができる。
【００６０】
以上説明の本実施の形態のリーフシール２５（軸シール機構）及びこれを備えたガスタービンによれば、各薄板２９と回転軸２３の周面２３ａとの間の角度を鋭角にし、かつ各薄板２９に浮力を与える圧力調整手段として前記隙間寸法調節を設けたことで、動圧効果の小さい起動時等においても薄板２９の上面２９ａ及び下面２９ｂの間に圧力荷重差（（Ｆｂ＋Ｆｃ）＞Ｆａ）を生じさせ、薄板２９の先端を回転軸２３の周面２３ａから浮上させて回転軸２３との接触を回避できる。したがって、各薄板２９と回転軸２３との接触による過大な発熱及び摩耗を防止することができる。さらに、各薄板２９と回転軸２３との接触による発熱が防止されることにより、回転軸２３でのサーマルバランスによる振動の発生を回避することも可能となる。
【００６１】
また、共振点通過時などの回転軸２３の振動が大きいときには、鋭角に取付けられた薄板２９が変形して回転軸２３との接触が緩和されることに加え、回転軸２３の回転によって生じる動圧効果によって各薄板２９の先端を回転軸２３の周面２３ａから浮上させて回転軸２３との接触を回避することが可能となっている。
【００６２】
また、シール部材として薄板２９を使用することにより、従来のワイヤと比較してケーシング２４に対する固定部分の大きさが拡大されるので、各薄板２９がケーシング２４に対して強固に固定される。これにより、従来のブラシシールにおけるワイヤ脱落のようなケーシング２４からの薄板２９の脱落を防止することができる。
また、各薄板２９の先端は回転軸２３の軸方向に高い剛性を有し回転軸の周方向には柔らかいので、従来のブラシシールに比べて差圧方向への変形を起こし難くなり、シール差圧の許容値を向上させることが可能となっている。
【００６３】
また、各薄板２９間の隙間３０を外周側と内周側とで等しくすることで、各薄板２９をより密に配置することが可能となり、各薄板２９の先端と回転軸２３との隙間を、非接触型のラビリンスシールなどと比べて飛躍的に小さくすることができる。これにより、ラビリンスシールの１／１０程度まで漏れ量を低減することが可能となり、結果的にガスタービンの性能を１０％程度向上させることができる。
したがって、以上説明のリーフシール２５及びこれを備えたガスタービンによれば、高圧側領域から低圧側領域へのガスの漏れ量を低減するとともに耐摩耗性の向上を得ることが可能となる。
【００６４】
ところで、上記第１の実施の形態では、前記圧力調整手段として、低圧側側板２６及び高圧側側板２７を、低圧側隙間３１が高圧側隙間３２より大きくなるよう配置することで、高圧側から加圧された際に薄板２９に前記圧力荷重差を生じせしめて、各薄板２９の先端部を浮上させるものとしているが、この他にも、例えば変形例として以下に説明する各実施の形態も採用可能である。
【００６５】
以下、本発明の第２の実施の形態についての説明を図４を参照しながら行うが、その特徴部分を中心に説明するものとし、その他の、上記第１の実施の形態と同一部分については説明を省略する。
図４は、高圧側領域から加圧された際に各薄板２９の薄板上面２９ａ及び薄板下面２９ｂ間に圧力荷重差を生じさせ、各薄板２９の先端部を浮上させるための他の圧力調整手段を備えたリーフシール２５を示すものである。
そして、本実施の形態では、低圧側側板２６の回転軸２３の半径方向の長さ寸法（低圧側側板長さ３３）を、高圧側側板２７の回転軸２３の半径方向の長さ寸法（高圧側側板長さ３４）よりも短くする側板寸法調節を前記ガス圧調整手段としている。
【００６６】
このように側板寸法調節を行って低圧側側板２６側に比較的広い空間を空けておくことで、高圧側から加圧された際、各薄板２９を通過してガスｇが高圧側領域から低圧側領域へ流れようとするが、このガスｇが、各薄板２９の上面２９ａ及び下面２９ｂに沿ってｒ１からｒ２の方向へ放射状に流れることとなる。これにより、前述したように、薄板２９の幅方向に垂直な断面に沿った任意位置で、該薄板２９の上面２９ａ及び下面２９ｂのそれぞれに加わるガス圧分布を、薄板２９の先端側から外周側基端に向かって徐々に小さくなる三角形状とすることができる。
したがって、上記第１の実施の形態と同様の理由により、薄板２９の上面２９ａ及び下面２９ｂ間における圧力分布の相対位置に差を生じせしめて、各薄板２９を回転軸２３の周面２３ａより浮くように変形させて非接触状態を形成することができる。
【００６７】
すなわち、前記隙間３０を通るガスｇによって薄板２９の上面２９ａ及び下面２９ｂに垂直に加わるガス圧分布３０ａは、上記第１の実施の形態と同様に、薄板２９の先端側でかつ高圧側側板２７側に位置する角部ｒ１で最もガス圧が高く、かつ対角の角部ｒ２に向かって徐々にガス圧が弱まるガス圧分布３０ａとなる。
【００６８】
このとき、薄板２９の軸方向幅の任意の断面の半径方向圧力分布は、上記第１の実施の形態の図３（ｂ）で説明したガス圧分布３０ｂ，３０ｃのようになり、薄板上面２９ａと、薄板下面２９ｂ及び薄板先端面２９ｃとの間に圧力荷重差（（Ｆｂ＋Ｆｃ）＞Ｆａ）を生じさせるので、この圧力荷重差が薄板２９に対してその先端部を浮上させる方向の力として作用する。
したがって、薄板２９に生じた前記圧力荷重差により、その先端部を浮上させる方向の力が作用する。本実施の形態を上記第１の実施の形態と比較した場合、第１の実施の形態のように低圧側隙間３１と高圧側隙間３２の寸法をコントロールをするよりも、本実施の形態のように低圧側側板長さ３３及び高圧側側板長さ３４をコントロールするほうが寸法精度も要求されず容易である上に、組立性も良く製造が容易となり、製作コストも安く済むのでより好ましいと言える。
【００６９】
なお、本実施の形態では、低圧側側板２６の回転軸２３の半径方向の長さ寸法（低圧側側板長さ３３）を、高圧側側板２７の回転軸２３の半径方向の長さ（高圧側側板長さ３４）よりも短くする側板寸法調節を前記ガス圧調整手段としたが、これに限らず、薄板２９の、回転軸２３の軸方向低圧側に、高圧側領域から低圧側領域に向かうガスｇの通過を許可するガス通過空間形成する（例えば、低圧側側板２６を省いた構成とするなど。）ことでも、同様の効果を得ることが可能である。
【００７０】
以下、本発明の第３の実施の形態についての説明を図５（ａ），（ｂ）を参照しながら行うが、その特徴部分を中心に説明するものとし、その他の、上記第１の実施の形態と同一部分については説明を省略する。なお、本実施の形態では、薄板２９の高圧領域側に配されてかつ回転軸２３方向に可撓性を有する可撓板を前記ガス圧調整手段とする構成を採用している。
図５（ａ），（ｂ）は、高圧側領域から加圧された際に各薄板２９の薄板上面２９ａ及び薄板下面２９ｂ間に圧力荷重差を生じさせ、各薄板２９の先端部を浮上させるための他の圧力調整手段を備えたリーフシール２５を示すもので、図５（ａ）は高圧側側板２７を回転軸２３の軸方向に可撓性を有する薄肉板にした場合であり、図５（ｂ）は高圧側側板２７と薄板２９との間の隙間に回転軸２３の軸方向に可撓性を有する高圧側隙間微調整用薄板３５を配置したものである。
【００７１】
このような可撓性を有する高圧側側板２７或いは高圧側隙間微調整用薄板３５を設けることで、高圧側から加圧された際に，高圧側のガス圧により，高圧側側板２７或いは高圧側隙間微調整用薄板３５は回転軸２３の軸方向に撓み，高圧側側板２３と薄板２９との間の隙間は小さく保持できる。このとき、各薄板２９の上面２９ａ及び下面２９ｂに沿って流れるガスｇは、図５に示すように、高圧側側板２７と回転軸２３の周面２３ａとの間から流入し，ｒ１からｒ２の方向へ放射状に流れ，外周側基端には低圧の領域が広がる。これにより、薄板２９の幅方向に垂直な断面に沿った任意位置で、該薄板２９の上下面に加わるガス圧を、薄板先端側から外周側基端に向かって徐々に小さくなる三角形状とすることができる。
したがって、上記第１の実施の形態と同様の理由により、薄板２９の上面２９ａ及び下面２９ｂ間における圧力分布の相対位置に差を生じせしめて、各薄板２９を回転軸２３の周面２３ａより浮くように変形させて非接触状態を形成することができる。
【００７２】
すなわち、前記隙間３０を通るガスｇによって薄板２９の上面２９ａ及び下面２９ｂに垂直に加わるガス圧分布３０ａは、上記第１の実施の形態と同様に、薄板２９の先端側でかつ高圧側側板２７側に位置する角部ｒ１で最もガス圧が高く、かつ対角の角部ｒ２に向かって徐々にガス圧が弱まるガス圧分布形状となる。このとき、薄板２９の軸方向幅の任意位置の断面の半径方向圧力分布は、上記第１の実施の形態の図３（ｂ）で説明したガス圧分布３０ｂ，３０ｃのようになり、薄板上面２９ａと、薄板下面２９ｂ及び薄板先端面２９ｃとの間に圧力荷重差（（Ｆｂ＋Ｆｃ）＞Ｆａ）を生じさせるので、この圧力荷重差が薄板２９に対してその先端部を浮上させる方向の力として作用する。
【００７３】
したがって、薄板２９に生じた前記圧力荷重差により、その先端部を浮上させる方向の力が作用する。本実施の形態を上記第１の実施の形態と比較した場合、上記第２の実施の形態で説明したのと同様の理由により、組立性と製作コストが安い上、シール差圧により隙間（薄板２９と、高圧側側板２７或いは高圧側隙間微調整用薄板３５との間の隙間）を自動的に高精度に形成できるメリットがある。
【００７４】
以下、本発明の第４の実施の形態についての説明を図６（ａ），（ｂ）を参照しながら行うが、その特徴部分を中心に説明するものとし、その他の、上記第１の実施の形態と同一部分については説明を省略する。なお、本実施の形態では、薄板２９の高圧側に配されて回転軸２３方向に可撓性を有し、かつその全周で２ヶ所以上のスリットが形成されているスリット付き可撓板を前記ガス圧調整手段とする構成を採用している。
図６（ａ）は、高圧側側板に対して全周で２ヶ所以上のスリット４１ａが形成されるとともに回転軸２３の軸方向に可撓性持たせたものを、前記スリット付き可撓板４１とした場合であり、図６（ｂ）は、高圧側側板２７と薄板２９との間の隙間に回転軸２３の軸方向に可撓性を有し全周で２ヶ所以上のスリット４２ａが形成された薄肉板を、前記スリット付き可撓板４２とした場合を示している。
【００７５】
このようなスリット付き可撓板４１，４２を設けることで、高圧側から加圧された際に，高圧側のガス圧により，高圧側側板２７或いは高圧側隙間微調整用薄板４０は回転軸２３の軸方向に撓み，高圧側側板２３と薄板２９との間の隙間は小さく保持できる。このとき、各薄板２９の上面２９ａ及び下面２９ｂに沿って流れるガスｇは、図６に示すように、高圧側側板２７と回転軸２３の周面２３ａとの間から流入し，ｒ１からｒ２の方向へ放射状に流れ，外周側基端には低圧の領域が広がる。これにより、薄板２９の幅方向に垂直な断面に沿った任意位置で、該薄板２９の上下面に加わるガス圧を、薄板先端側から外周側基端に向かって徐々に小さくなる三角形状とすることができる。
したがって、上記第１の実施の形態と同様の理由により、薄板２９の上面２９ａ及び下面２９ｂ間における圧力分布の相対位置に差を生じせしめて、各薄板２９を回転軸２３の周面２３ａより浮くように変形させて非接触状態を形成することができる。
【００７６】
すなわち、前記隙間３０を通るガスｇによって薄板２９の上面２９ａ及び下面２９ｂに垂直に加わるガス圧分布３０ａは、上記第１の実施の形態と同様に、薄板２９の先端側でかつ高圧側側板２７側に位置する角部ｒ１で最もガス圧が高く、かつ対角の角部ｒ２に向かって徐々にガス圧が弱まるガス圧分布形状となる。このとき、薄板２９の軸方向幅の任意の断面の半径方向圧力分布は、上記第１の実施の形態の図３（ｂ）で説明したガス圧分布３０ｂ，３０ｃのようになり、薄板上面２９ａと、薄板下面２９ｂ及び薄板先端面２９ｃとの間に圧力荷重差（（Ｆｂ＋Ｆｃ）＞Ｆａ）を生じさせるので、この圧力荷重差が薄板２９に対してその先端部を浮上させる方向の力として作用する。
【００７７】
したがって、薄板２９に生じた前記圧力荷重差により、その先端部を浮上させる方向の力が作用する。本実施の形態を上記第１の実施の形態と比較した場合、上記第２の実施の形態で説明したのと同様の理由により、組立性と製作コストが安い上、シール差圧により隙間（薄板２９と、スリット付き可撓板４１，４２との間の隙間）を自動的に高精度に形成できるメリットがある。また本実施の形態では、上記第１の実施の形態と比較して組立性と製作コストの点で優れるのに加え、第３の実施の形態と比較してもスリット４１ａ，４２ａの形状により隙間（薄板２９と、スリット付き可撓板４１，４２との間の隙間）の微調整が可能というメリットがある。
【００７８】
以下、本発明の第５の実施の形態についての説明を図７を参照しながら行うが、その特徴部分を中心に説明するものとし、その他の、上記第１の実施の形態と同一部分については説明を省略する。なお、本実施の形態では、回転軸２３の軸線方向に低圧側側板２６を貫く複数の通風孔を前記ガス圧調整手段とする構成を採用している。
図７は、リーフシール２５を回転軸２３の軸線を通る断面より見た断面図であり、符号２６ａが前記通風孔を示している。この他にも、低圧側側板２６として多孔質の材料を用いる構成も採用可能である。
【００７９】
このような通風孔２６ａを備えた低圧側側板２６を採用すると、高圧側からガスで加圧された際に前記隙間３０を通るガスによって薄板２９の上面２９ａ及び下面２９ｂに垂直に加わるガス圧の圧力分布は、上記第１の実施の形態と同様に、圧力分布３０ａに示す等圧線分布形状となる。すなわち、薄板２９において、その先端側でかつ高圧側側板２７側に位置する角部ｒ１で最もガス圧が高く、かつ対角の角部ｒ２に向かって徐々にガス圧が弱まるガス圧分布形状となる。
【００８０】
このとき、薄板２９の軸方向幅の任意の断面の半径方向圧力分布は、上記第１の実施の形態の図３（ｂ）で説明したガス圧分布３０ｂ，３０ｃのようになり、薄板上面２９ａと、薄板下面２９ｂ及び薄板先端面２９ｃとの間に圧力荷重差（（Ｆｂ＋Ｆｃ）＞Ｆａ）を生じさせるので、この圧力荷重差が薄板２９に対してその先端部を浮上させる方向の力として作用する。
【００８１】
したがって、薄板２９に生じた前記圧力荷重差により、その先端部を浮上させる方向の力が作用する。しかも、本実施の形態では、通風孔２６ａの孔形状を形成するだけなので製作しやすくて組立性も良く、製作コストを低くできる。更に、孔形状の配置や大きさにより複雑な圧力分布も形成可能となる。また、薄板の露出部が上記第２の実施の形態と比較して小さく、組立時の接触などによる薄板の変形が小さいというメリットがある。
【００８２】
以下、本発明の第６の実施の形態についての説明を図８を参照しながら行うが、その特徴部分を中心に説明するものとし、その他の、上記第１の実施の形態と同一部分については説明を省略する。なお、本実施の形態では、前記低圧側隙間３１の方が必ず高圧側隙間３２よりも大きくなるように維持するための隙間寸法調整手段を更に備えている点が特に特徴的となっている。
図８の（ａ）は、リーフシール２５を回転軸２３の軸線を通る断面より見た断面図であり、（ｂ）は（ａ）をＣ−Ｃ線より見た断面図である。
【００８３】
同図に示すように、低圧側側板２６と各薄板２９との間には、低圧側側板２６に向かって各薄板２９が接近しようとした場合に、該薄板２９を支持して、これら低圧側側板２６及び各薄板２９間の低圧側隙間３１の隙間寸法を維持するための前記隙間寸法調整手段として、段形状部５０（第１の段形状部）が設けられている。
この段形状部５０は、図８（ａ）に示すように、回転軸２３の軸線を通る断面で見た場合には、各薄板２９側に向かって突出するように低圧側側板２６の側に設けられており、また図８（ｂ）に示すように、回転軸２３の軸線に垂直をなす断面より見た場合には、環状の低圧側側板２６に沿って回転軸２３周りの全周に渡って連続した環状をなすリング形状の部品である。なお、この段形状部５０は、低圧側側板２６と別部品としても良いし、低圧側側板２６と一体の部品としても良い。
【００８４】
各薄板２９を支持するためには、段形状部５０を各薄板２９側に極力接近させておく必要がある。しかしながら、あまり近づけすぎて各薄板２９の側縁を段形状部５０が圧迫して変形させることのないようにする必要があるので、段形状部５０の厚み寸法をｔ１（回転軸２３の軸心方向の厚み寸法）とし、低圧側隙間３１の隙間寸法をｔ２とした場合には、ｔ２≧ｔ１（厚み寸法ｔ１は、低圧側隙間３１の隙間寸法ｔ２と等しいか、もしくはそれよりも狭い）とする必要がある。この段形状部５０によれば、各薄板２９のずれあるいは変形を拘束することで、低圧側隙間３１の隙間寸法ｔ２以下になることを防ぐことができ、容易に所定の隙間寸法に維持することが可能となる。
【００８５】
以上説明の本実施の形態のリーフシール２５（軸シール機構）及びこれを備えたガスタービンによれば、段形状部５０を設けたことで、各薄板２９の位置が低圧側側板２６の側に向かって接近しようとしても、これら薄板２９が、段形状部５０によって支持されることで接近が阻止されるようになっているので、軸シール機構組立時における組立誤差や、運転時における高圧側から低圧側に向かう流体圧による各薄板２９の変形等が発生しても、各薄板２９と低圧側側板２６との間を所定の隙間寸法ｔ２に維持することができる。
【００８６】
これにより、各薄板２９と低圧側側板２６との間の低圧側隙間３１を、各薄板２９と高圧側側板２７との間の高圧側隙間３２よりも大きくするという、上記第１の実施の形態で説明した前記隙間寸法調節を確実に行わせることが可能となっている。よって、起動時等の動圧効果の小さい時でも、確実に各薄板２９の先端を浮かせて回転軸２３の周面２３ａとの間を非接触状態にできる。したがって、各薄板２９と回転軸２３との接触による過大な発熱及び摩耗を防止することができる。さらに、各薄板２９と回転軸２３との接触による発熱が防止されることにより、回転軸２３でのサーマルバランスによる振動の発生を回避することも可能となる。なお、この他にも、上記第１の実施の形態で説明した効果と同様の効果が得られることは勿論である。
【００８７】
次に、本発明の第７の実施の形態についての説明を図９を参照しながら行う。なお、本実施の形態は、上記第６の実施の形態の変形例に相当するものであるので、上記第６の実施の形態との相違点を中心に説明するものとし、その他の、上記第６の実施の形態と同一部分については説明を省略する。
図９の（ａ）は、リーフシール２５を回転軸２３の軸線を通る断面より見た断面図であり、（ｂ）は（ａ）をＤ−Ｄ線より見た断面図である。
【００８８】
同図に示すように、本実施の形態では、上記第６の実施の形態で説明した環状の前記段形状部５０に、この環状の内周側及び外周側の空間を連通させる通気孔５１を形成した点が特徴的となっている。この通気孔５１は、図９（ｂ）に示すように、複数個が互いに等間隔をおいて形成されたものとなっている。
このように、段形状部５０に複数の通気孔５１を形成したことで、各薄板２９と低圧側側板２６との間の隙間空間における、段形状部５０を境とした、回転軸半径方向内周側と回転軸半径方向外周側との両空間の間でのガス流れに対する抵抗が低減されるようになる。これにより、段形状部５０による各薄板２９の支持を確保しながらも、あたかも段形状部５０が存在しないかのように、前記隙間空間における回転軸半径方向の圧力分布を形成させることができるようになる。
【００８９】
これにより、高圧側側板２７から低圧側側板２６に向かうガス圧が各薄板２９に加わった場合に、これら薄板２９の上下面に対して、回転軸２３に対向する先端側でかつ高圧側側板２７の側に位置する角部ｒ１で最もガス圧が高く、かつ対角の角部ｒ２に向かって徐々にガス圧が弱まるガス圧分布を広い範囲（図９（ａ）の実線矢印Ｒ１で示す範囲）に形成させることができ、例えば図９（ａ）の二点鎖線の矢印Ｒ２で示す狭い範囲のガス圧分布とならないようにすることができる。
したがって、広いガス圧分布を各薄板２９に与えることができるので、各薄板２９の広い範囲に渡ってその上下面に圧力差を確実に生じせしめて、これら薄板２９を回転軸２３の周面２３ａより浮かせるという薄板浮上のためのガス圧調整が的確に行えるようになる。
【００９０】
次に、本発明の第８の実施の形態についての説明を図１０を参照しながら行う。なお、本実施の形態は、上記第６の実施の形態の変形例に相当するものであるので、上記第６の実施の形態との相違点を中心に説明するものとし、その他の、上記第６の実施の形態と同一部分については説明を省略する。
図１０の（ａ）は、リーフシール２５を回転軸２３の軸線を通る断面より見た断面図であり、（ｂ），（ｃ）は（ａ）をＥ−Ｅ線より見た断面図である。
【００９１】
図１０（ｂ）に示すように、本実施の形態では、上記第６の実施の形態で説明した全周に渡って環状に連続した前記段形状部５０の代わりに、互いに等しい間隔Ｇを置いた状態で、低圧側側板２６に沿って回転軸２３周りの環状をなすように間欠配置された複数枚の環状分割板５０ａから構成される段形状部５０Ａ（第２の段形状部）を、１周（１段）、低圧側側板２６に固定した点が特に特徴的となっている。この段形状部５０Ａは、図１０（ａ）に示すように、回転軸２３の軸線を通る断面で見た場合には、各薄板２９側に向かって突出するように低圧側側板２６の側に設けられている。
なお、この段形状部５０Ａ（環状分割板５０ａ）は、低圧側側板２６と別部品としても良いし、低圧側側板２６と一体の部品としても良い。
【００９２】
本実施の形態では、上記第７の実施の形態の前記各通気孔５１の代わりの役目を前記各間隔Ｇが行うので、各薄板２９と低圧側側板２６との間の隙間空間における、段形状部５０Ａを境とした、回転軸半径方向内周側と回転軸半径方向外周側との両空間の間でのガス流れに対する抵抗が低減されるようになっている。これにより、段形状部５０Ａによる各薄板２９の支持を確保しながらも、あたかも段形状部５０Ａが存在しないかのように、前記隙間空間における回転軸半径方向の圧力分布を形成させることができるようになる。
【００９３】
これにより、高圧側側板２７から低圧側側板２６に向かうガス圧が各薄板２９に加わった場合に、これら薄板２９の上下面に対して、回転軸２３に対向する先端側でかつ高圧側側板２７の側に位置する角部ｒ１で最もガス圧が高く、かつ対角の角部ｒ２に向かって徐々にガス圧が弱まるガス圧分布を広い範囲（図１０（ａ）の実線矢印Ｒ１で示す範囲）に形成させることができ、例えば図１０（ａ）の二点鎖線の矢印Ｒ２で示す狭い範囲のガス圧分布とならないようにすることができる。
したがって、広いガス圧分布を各薄板２９に与えることができるので、各薄板２９の広い範囲に渡ってその上下面に圧力差を確実に生じせしめて、これら薄板２９を回転軸２３の周面２３ａより浮かせるという薄板浮上のためのガス圧調整が的確に行えるようになる。
【００９４】
なお、本実施の形態の変形例として、例えば図１０（ｃ）に示すように回転軸２３を軸心とする同心円状に段形状部５０Ａを２周（２段）に配置したり、もしくは３周以上（３段以上）に配置する構成（図示せず）も勿論可能である。
【００９５】
次に、本発明の第９の実施の形態についての説明を図１１を参照しながら行う。なお、本実施の形態は、上記第６の実施の形態の変形例に相当するものであるので、上記第６の実施の形態との相違点を中心に説明するものとし、その他の、上記第６の実施の形態と同一部分については説明を省略する。
図１１の（ａ）は、リーフシール２５を回転軸２３の軸線を通る断面より見た断面図であり、（ｂ），（ｃ）は（ａ）をＦ−Ｆ線より見た断面図である。
【００９６】
図１１（ｂ）に示すように、本実施の形態では、上記第６の実施の形態で説明した全周に渡って環状に連続した前記段形状部５０の代わりに、各薄板２９側から低圧側側板２６を見た場合に、該低圧側側板２６の内周側から外周側に向かってスパイラル状に配置され、互いの間に間隔Ｇが設けられた複数枚のスパイラル板５０ｂから構成される段形状部５０Ｂ（第３の段形状部）を、低圧側側板２６に固定した点が特に特徴的となっている。この段形状部５０Ｂは、図１１（ａ）に示すように、回転軸２３の軸線を通る断面で見た場合には、各薄板２９側に向かって突出するように低圧側側板２６の側に設けられている。
そして、各スパイラル板５０ｂは、各薄板２９側から低圧側側板２６を見た場合（すなわち図１１（ｂ）の視線で見た場合）に、各薄板２９と交差するクロス方向に傾斜した状態で、低圧側側板２６に固定されている。
なお、この段形状部５０Ｂ（スパイラル板５０ｂ）は、低圧側側板２６と別部品としても良いし、低圧側側板２６と一体の部品としても良い。
【００９７】
なお、本実施の形態の変形例として、例えば図１１（ｃ）に示すように、各スパイラル板５０ｂを、各薄板２９側から低圧側側板２６を見た場合に、各薄板２９と同方向かつ異なる傾斜角度（回転軸２３の周面２３ａに対する傾斜角度）に傾斜した状態で、低圧側側板２６に固定する構成も勿論採用可能である。しかしながら、図１１（ｂ）で示したクロス方向に傾斜させた方が、一枚あたりのスパイラル板５０ｂにより多くの枚数の薄板２９を支持させることができるのでより好ましいと言える。
【００９８】
本実施の形態では、上記第７の実施の形態の前記各通気孔５１の代わりの役目を前記各間隔Ｇが行うので、各薄板２９と低圧側側板２６との間の隙間空間における、段形状部５０Ｂを境とした、回転軸半径方向内周側と回転軸半径方向外周側との両空間の間でのガス流れに対する抵抗が低減されるようになっている。これにより、段形状部５０Ｂによる各薄板２９の支持を確保しながらも、あたかも段形状部５０Ｂが存在しないかのように、前記隙間空間における回転軸半径方向の圧力分布を形成させることができるようになる。
【００９９】
これにより、高圧側側板２７から低圧側側板２６に向かうガス圧が各薄板２９に加わった場合に、これら薄板２９の上下面に対して、回転軸２３に対向する先端側でかつ高圧側側板の側に位置する角部ｒ１で最もガス圧が高く、かつ対角の角部ｒ２に向かって徐々にガス圧が弱まるガス圧分布を広い範囲（図１１（ａ）の実線矢印Ｒ１で示す範囲）に形成させることができ、狭い範囲のガス圧分布とならないようにすることができる。
したがって、広いガス圧分布を各薄板２９に与えることができるので、各薄板２９の広い範囲に渡ってその上下面に圧力差を確実に生じせしめて、これら薄板２９を回転軸２３の周面２３ａより浮かせるという薄板浮上のためのガス圧調整が的確に行えるようになる。
【０１００】
次に、本発明の第１０の実施の形態についての説明を図１２を参照しながら行う。なお、本実施の形態は、上記第６の実施の形態の変形例に相当するものであるので、上記第６の実施の形態との相違点を中心に説明するものとし、その他の、上記第６の実施の形態と同一部分については説明を省略する。
図１２は、リーフシール２５を回転軸２３の軸線を通る断面より見た断面図である。
【０１０１】
図１２に示すように、本実施の形態では、上記第６の実施の形態で説明した低圧側薄板２６側に設けられた前記段形状部５０の代わりに、低圧側側板２６に向かって突出するように各薄板２９の側にそれぞれ設けられた段形状部５０Ｃ（第４の段形状部）を設けた点が特に特徴的となっている。
各段形状部５０Ｃは、それぞれの薄板２９に一体に形成された突出部であり、互いの間に、各薄板２９間に形成される隙間と同じ寸法の隙間が生じるようになっている。
【０１０２】
本実施の形態では、上記第７の実施の形態の前記各通気孔５１の代わりの役目を、各段形状部５０Ｃ間の隙間が行うので、各薄板２９と低圧側側板２６との間の隙間空間における、段形状部５０Ｃを境とした、回転軸半径方向内周側と回転軸半径方向外周側との両空間の間でのガス流れに対する抵抗が低減されるようになっている。これにより、段形状部５０Ｃによる各薄板２９の支持を確保しながらも、あたかも段形状部５０Ｃが存在しないかのように、前記隙間空間における回転軸半径方向の圧力分布を形成させることができるようになる。
【０１０３】
これにより、高圧側側板２７から低圧側側板２６に向かうガス圧が各薄板２９に加わった場合に、これら薄板２９の上下面に対して、回転軸２３に対向する先端側でかつ高圧側側板２７の側に位置する角部ｒ１で最もガス圧が高く、かつ対角の角部ｒ２に向かって徐々にガス圧が弱まるガス圧分布を広い範囲（図１２の実線矢印Ｒ１で示す範囲）に形成させることができ、例えば図１２の二点鎖線の矢印Ｒ２で示す狭い範囲のガス圧分布とならないようにすることができる。
したがって、広いガス圧分布を各薄板２９に与えることができるので、各薄板２９の広い範囲に渡ってその上下面に圧力差を確実に生じせしめて、これら薄板２９を回転軸２３の周面２３ａより浮かせるという薄板浮上のためのガス圧調整が的確に行えるようになる。
また、本実施の形態では、各薄板２９の形状を変えるだけで、低圧側側板２６に加工あるいは取付けする必要がないので、製作コスト面でメリットが大きいという効果も有している。
【０１０４】
次に、本発明の第１１の実施の形態についての説明を図１３を参照しながら行う。なお、本実施の形態は、上記第６の実施の形態の変形例に相当するものであるので、上記第６の実施の形態との相違点を中心に説明するものとし、その他の、上記第６の実施の形態と同一部分については説明を省略する。
図１３は、リーフシール２５を回転軸２３の軸線を通る断面より見た断面図である。
【０１０５】
図１３に示すように、本実施の形態では、上記第６の実施の形態で説明した環状の前記段形状部５０（第１の段形状部）が、低圧側側板２６の半径方向に沿ってケーシング２４の位置まで連続して形成されている点が特に特徴的となっている。すなわち、本実施の形態の段形状部５０は、同図の断面で見た場合に、ケーシング２４と低圧側側板２６との接続部分である、低圧側側板２６の付け根位置（基部）まで連続して幅広に形成されたものとなっている。なお、この段形状部５０は、通常運転状態では、その各薄板２９に対向する面が各薄板２９に対して直接接触しておらず、両者の間には微少な隙間が形成された状態となっている。この段形状部５０によれば、各薄板２９のずれあるいは変形を拘束することで、低圧側隙間３１の隙間寸法ｔ２以下になることを防ぐことができ、容易に所定の隙間寸法に維持することが可能となる。
【０１０６】
以上説明の本実施の形態のリーフシール２５（軸シール機構）及びこれを備えたガスタービンによれば、段形状部５０を設けたことで、各薄板２９の位置が低圧側側板２６の側に向かって接近しようとしても、これら薄板２９が、段形状部５０によって支持されることで接近が阻止されるようになっているので、軸シール機構組立時における組立誤差や、運転時における高圧側から低圧側に向かう流体圧による各薄板２９の変形等が発生しても、各薄板２９と低圧側側板２６との間を所定の隙間寸法ｔ２に維持することができる。
【０１０７】
すなわち、各薄板２９と、高圧側側板２７及び低圧側側板２６との間を、それぞれ所定の隙間寸法に形成させることができるので、高圧側と低圧側との間での圧力変動が生じても各隙間寸法が変化しにくくなるので、適用するシール差圧範囲を拡大することが可能となる。また、上述のように段形状部５０と各薄板２９との間には微少な隙間が形成されているので、高圧側側板２７及び低圧側側板２６と各薄板２９との間の隙間公差をゆるめに設計でき、加工コストを低減させることができる。
なお、この他にも、上記第６の実施の形態で説明した効果と同様の効果が得られることは勿論である。
【０１０８】
次に、本発明の第１２の実施の形態についての説明を、図１４を参照しながら行う。なお、本実施の形態は、上記第１１の実施の形態の変形例に相当するものであるので、上記第１１の実施の形態との相違点を中心に説明するものとし、その他の、上記第１１の実施の形態と同一部分については説明を省略する。
図１４は、リーフシール２５を回転軸２３の軸線を通る断面より見た断面図である。
【０１０９】
図１４に示すように、本実施の形態では、上記第１１の実施の形態で説明した前記段形状部５０に加えて、上記第３の実施の形態で図５（ｂ）を参照して説明した前記高圧側隙間微調整用薄板３５を、高圧側側板２７と薄板２９との間の隙間に配置した点が特に特徴的となっている。
この構成によれば、高圧側側板２７から低圧側側板２６に向かうガス圧が各薄板２９に加わった場合に、これら薄板２９の上下面に対して、回転軸２３に対向する先端側でかつ高圧側側板２７の側に位置する角部ｒ１で最もガス圧が高く、かつ対角の角部ｒ２に向かって徐々にガス圧が弱まるガス圧分布を形成させることができる。
以上説明の本実施の形態のリーフシール２５（軸シール機構）及びこれを備えたガスタービンによれば、上記第１１の実施の形態及び上記第３の実施の形態と同様の作用効果を得ることが可能となる。
【０１１０】
次に、本発明の第１３の実施の形態についての説明を、図１５を参照しながら行う。なお、本実施の形態は、上記第１２の実施の形態の変形例に相当するものであるので、上記第１２の実施の形態との相違点を中心に説明するものとし、その他の、上記第１２の実施の形態と同一部分については説明を省略する。
図１５は、リーフシール２５を回転軸２３の軸線を通る断面より見た断面図である。
【０１１１】
図１５に示すように、本実施の形態では、上記第１２の実施の形態の高圧側側板２７に、該高圧側側板２７を回転軸２３の軸線方向に貫く導圧孔１００が、円周方向に複数設けられている点が特に特徴的となっている。
この構成によれば、高圧側領域のガスの一部を、各導圧孔１００を介して高圧側側板２７を通過させるように前記高圧側隙間微調整用薄板３５に加えることができるので、高圧側隙間微調整用薄板３５をより効果的に撓ませることが可能となる。したがって、上記第１２の実施の形態の作用をより確実に得ることが可能となる。
以上説明の本実施の形態のリーフシール２５（軸シール機構）及びこれを備えたガスタービンによれば、上記第１２の実施の形態の効果をより確実に得ることが可能となる。
【０１１２】
以上に本発明の軸シール機構及びこれを備えたガスタービンの第１〜第１３の実施の形態をそれぞれ説明してきたが、このガスタービンとしては、燃焼ガスを利用してタービン軸を回転させて動力を得る一般的なガスタービンに加え、航空機用ガスタービンエンジン等も含んでいる。また、本発明に係るガスタービンとしては、水蒸気を利用する蒸気タービン等の流体機械にも転用可能である。
また、本発明に係る軸シール機構としては、ガスタービン、ガスタービンエンジン、蒸気タービンなどの各種流体機械にも適用可能である。
また、上記第３，第４の各実施の形態の軸シール機構（リーフシール２５）及びこれを備えたガスタービンに対して、上記説明の隙間寸法調整手段５０，５０Ａ，５０Ｂ，５０Ｃを組み合わせる構成も採用可能である。この場合においても、隙間寸法調整手段５０，５０Ａ，５０Ｂ，５０Ｃの採用による同様の作用効果が得られることは、勿論である。
【０１１３】
【発明の効果】
本発明の請求項１〜２０のいずれかに記載の軸シール機構、または請求項２１記載のガスタービンによれば、薄板と回転軸周面との間の角度を鋭角にし、かつ薄板に浮力が付与されるように圧力調整手段を設けたことで、共振点通過時などの回転軸の振動が大きいときには鋭角に取付けられた薄板が変形して回転軸との接触が緩和されることに加え、定格条件では回転軸の回転によって生じる動圧効果により、そして動圧効果の小さい起動時等にも薄板に生じる圧力荷重差により薄板の先端が回転軸の表面から浮上して回転軸との接触が回避される。したがって、薄板と回転軸との接触による過大な発熱及び摩耗を防止することができる。さらに、薄板と回転軸との接触による発熱が防止されることにより、回転軸におけるサーマルバランスによる振動の発生を回避することが可能となる。
【０１１４】
また、シール部材に薄板を使用することにより、従来のワイヤと比較してケーシングに対する固定部分が拡大されるので、薄板がケーシングに対して強固に固定される。これにより、従来のブラシシールにおけるワイヤ脱落のようなケーシングからの脱落を防止することができる。
また、薄板先端は回転軸の軸方向に高い剛性を有し回転軸の周方向には柔らかいので、従来のブラシシールに比べて差圧方向への変形を起こし難くなり、シール差圧の許容値を向上させることができる。
【０１１５】
また、薄板間の隙間を外周側と内周側とで等しくすることで薄板をより密に配置することが可能となり、薄板の先端と回転軸との隙間を非接触型のラビリンスシールなどと比べて飛躍的に小さくすることができる。これにより、ガスの漏れ量を低減することが可能となり、これをガスタービンに用いた場合には、その性能を向上させることができる。
したがって、以上説明の請求項１〜２０のいずれかに記載の軸シール機構、または請求項２１記載のガスタービンによれば、高圧側から低圧側へのガスの漏れ量を低減させるとともに耐摩耗性の向上を得ることが可能となる。
【０１１６】
さらに、上記請求項１４〜１７のいずれかもしくは上記請求項２０に記載の軸シール機構、またはこの軸シール機構を備えた請求項２１記載のガスタービンによれば、回転軸半径方向内周側と回転軸半径方向外周側との両空間の間を流れるガス流に対する抵抗が低減されるようになる。これにより、薄板の支持を確保しながらも、薄板と低圧側側板との間の隙間空間における回転軸半径方向の圧力分布を形成させることができる。
したがって、高圧側側板から低圧側側板に向かうガス圧が薄板に加わった場合に、該薄板の上下面に対して、回転軸に対向する先端側でかつ高圧側側板の側に位置する角部で最もガス圧が高く、かつ対角に向かって徐々にガス圧が弱まるガス圧分布の範囲をより広く形成させることができるようになるので、薄板の上下面における圧力差を確実に生じせしめて、該薄板を回転軸周面より浮かせるという薄板浮上のためのガス圧調整が的確にできるようになる。
【図面の簡単な説明】
【図１】本発明に係る軸シール機構を備えたガスタービンの第１の実施の形態を示す概略構成断面図である。
【図２】同実施の形態のリーフシール（軸シール機構）の斜視図である。
【図３】同実施の形態のリーフシールを示す図であって、（ａ）は回転軸の軸線を通る断面より見た断面図であり、（ｂ）は（ａ）をＢ−Ｂ線より見た断面図である。
【図４】本発明に係る軸シール機構（リーフシール）の第２の実施の形態を示す図であって、回転軸の軸線を通る断面より見た断面図である。
【図５】本発明に係る軸シール機構（リーフシール）の第３の実施の形態を示す図であって、（ａ），（ｂ）は回転軸の軸線を通る断面より見た断面図である。
【図６】本発明に係る軸シール機構（リーフシール）の第４の実施の形態を示す図であって、（ａ）はその斜視図であり、（ｂ）はその変形例を示す斜視図である。
【図７】本発明に係る軸シール機構（リーフシール）の第５の実施の形態を示す図であって、回転軸の軸線を通る断面より見た断面図である。
【図８】本発明に係る軸シール機構（リーフシール）の第６の実施の形態を示す図であって、（ａ）は回転軸の軸線を通る断面より見た断面図であり、（ｂ）は（ａ）をＣ−Ｃ線より見た断面図である。
【図９】本発明に係る軸シール機構（リーフシール）の第７の実施の形態を示す図であって、（ａ）は回転軸の軸線を通る断面より見た断面図であり、（ｂ）は（ａ）をＤ−Ｄ線より見た断面図である。
【図１０】本発明に係る軸シール機構（リーフシール）の第８の実施の形態を示す図であって、（ａ）は回転軸の軸線を通る断面より見た断面図であり、（ｂ），（ｃ）は（ａ）をＥ−Ｅ線より見た断面図である。
【図１１】本発明に係る軸シール機構（リーフシール）の第９の実施の形態を示す図であって、（ａ）は回転軸の軸線を通る断面より見た断面図であり、（ｂ），（ｃ）は（ａ）をＦ−Ｆ線より見た断面図である。
【図１２】本発明に係る軸シール機構（リーフシール）の第１０の実施の形態を示す図であって、回転軸の軸線を通る断面より見た断面図である。
【図１３】本発明に係る軸シール機構（リーフシール）の第１１の実施の形態を示す図であって、回転軸の軸線を通る断面より見た断面図である。
【図１４】本発明に係る軸シール機構（リーフシール）の第１２の実施の形態を示す図であって、回転軸の軸線を通る断面より見た断面図である。
【図１５】本発明に係る軸シール機構（リーフシール）の第１３の実施の形態を示す図であって、回転軸の軸線を通る断面より見た断面図である。
【図１６】従来の軸シール機構の一例を示す図であって、（ａ）は回転軸の軸線を通る断面より見た断面図であり、（ｂ）は（ａ）のＡ−Ａ線より見た断面図である。
【図１７】従来の軸シール機構の他の例を示す斜視図である。
【符号の説明】
２３・・・回転軸
２３ａ・・・周面
２３ｅ・・・動翼
２４・・・ケーシング
２５・・・リーフシール（軸シール機構）
２６・・・低圧側側板
２６ａ・・・通風孔
２７，３５・・・高圧側側板，高圧側隙間微調整用薄板（可撓板）
２９・・・薄板
２９ａ・・・上面
２９ｂ・・・下面
３０・・・隙間
３０ａ・・・ガス圧分布
３１・・・低圧側隙間（薄板と低圧側側板との間の隙間）
３２・・・高圧側隙間（薄板と高圧側側板との間の隙間）
３３・・・低圧側側板長さ（低圧側側板の回転軸半径方向の長さ寸法）
３４・・・高圧側側板長さ（高圧側側板の回転軸半径方向の長さ寸法）
４１，４２・・・スリット付き可撓板
４１ａ，４２ａ・・・スリット
５０・・・隙間寸法調整手段，第１の段形状部
５０Ａ・・・隙間寸法調整手段，第２の段形状部
５０Ｂ・・・隙間寸法調整手段，第３の段形状部
５０Ｃ・・・隙間寸法調整手段，第４の段形状部
５０ａ・・・環状分割板
５０ｂ・・・スパイラル板
５１・・・通気孔
１００・・・導圧孔
Ｇ・・・間隔
ｇ・・・ガス
ｒ１・・・角部
ｒ２・・・角部（対角）
【図１】
0003616016.tif 000002
【図２】
0003616016.tif 000003
【図３】
0003616016.tif 000004
【図４】
0003616016.tif 000005
【図５】
0003616016.tif 000006
【図６】
0003616016.tif 000007
【図７】
0003616016.tif 000008
【図８】
0003616016.tif 000009
【図９】
0003616016.tif 000010
【図１０】
0003616016.tif 000011
【図１１】
0003616016.tif 000012
【図１２】
0003616016.tif 000013
【図１３】
0003616016.tif 000014
【図１４】
0003616016.tif 000015
【図１５】
0003616016.tif 000016
【図１６】
0003616016.tif 000017
【図１７】
0003616016.tif 000018